(57)【要約】【課題】ポケットの開口縁など連結体にクリップを連結させるための連結操作が円滑にできるようにし、また、連結体からクリップを離脱させるための離脱操作が円滑にできるようにする。【解決手段】クリップ１が、ほぼ平行に延びる第１、第２アーム７，８と、これら両アーム７，８の各一端部９，９を結合させる結合体１０と、一端部１１が第１アーム７に枢支軸１２により枢支されて他端部１３側が往、復回動Ａ，Ｂ可能とされる回動レバー１５とを備える。この回動レバー１５を往回動Ａさせたとき、この回動レバー１５の一端部１１と第２アーム８とにより第１、第２アーム７，８間の隙間１９に嵌入された連結体５が挟み付け可能にされると共に、回動レバー１５が上記結合体１０側に向かい回動して回動レバー１５が第１アーム７に沿って延びるようにする。第１アーム７の長手方向の中途部に回動レバー１５の一端部１１を枢支させる。【選択図】    図１
2004313424.tif 000002
【特許請求の範囲】
【請求項１】
被連結体を連結体に連結可能とさせるクリップであって、互いにほぼ平行に延びる第１、第２アームと、これら両アームの各一端部を互いに一体的に結合させる結合体と、一端部が上記第１アームに枢支軸により枢支されて他端部側が上記第１アームの外方域で往、復回動可能とされる回動レバーとを備え、この回動レバーを往回動させたとき、この回動レバーの一端部と上記第２アームとにより上記第１、第２アーム間の隙間に嵌入された上記連結体が挟み付け可能にされると共に、上記回動レバーが上記結合体側に向かい回動して上記回動レバーが上記第１アームに沿って延びるようにし、一方、上記回動レバーを復回動させたとき、上記挟み付けが解除されるようにしたクリップにおいて、
上記第１アームの長手方向の中途部に上記回動レバーの一端部を枢支させたクリップ。
【請求項２】
上記第１、第２アームの長手方向に沿った視線で見て、上記第１アームの他端部が上記枢支軸のほぼ全体と重なるようにした請求項１に記載のクリップ。
【請求項３】
上記回動レバーを往回動させたとき、上記第１、第２アームの長手方向に沿った視線で見て、クリップの外縁がほぼ円形となるようにした請求項１に記載のクリップ。
【請求項４】
上記回動レバーを往回動させたとき、上記第１、第２アームの長手方向で、上記回動レバーの一端部が上記結合体よりも外方に突出するようにした請求項１から３のうちいずれか１つに記載のクリップ。
【発明の詳細な説明】
【０００１】
【発明が属する技術分野】
本発明は、例えば、携帯電話など被連結体の不意の落下を防止するため、この被連結体をポケットの開口縁など連結体に連結可能とさせるクリップに関するものである。
【０００２】
【従来の技術】
【０００３】
【特許文献１】特開平１１−１８７９１０号公報
【０００４】
上記クリップには、従来、上記特許文献１の特に図２と図４とで示されるものがある。この公報のものによれば、クリップは、被連結体を連結体に連結可能とさせるものであって、互いにほぼ平行に延びる第１、第２アームと、これら両アームの各一端部を互いに一体的に結合させる結合体と、一端部が上記第１アームの他端部（自由端）に枢支軸により枢支されて他端部側が上記第１アームの外方域で往、復回動可能とされる回動レバーとを備えている。
【０００５】
上記回動レバーを往回動させたとき、この回動レバーの一端部と上記第２アームとにより上記第１、第２アーム間の隙間に嵌入された上記連結体が挟み付け可能にされると共に、上記回動レバーが上記結合体側に向かい回動して上記回動レバーが上記第１アームに沿って延びるようにし、一方、上記回動レバーを復回動させたとき、上記挟み付けが解除されるようになっている。
【０００６】
そして、上記クリップにより、例えば、携帯電話のストラップなど被連結体をオペレータのポケットの開口縁など連結体に連結させる場合には、まず、上記被連結体を上記クリップの連結部に連結し、このクリップの回動レバーを復回動させた状態で、第１、第２アームの間の隙間をオペレータの胸のポケットの開口縁に嵌合させる。次に、上記回動レバーを往回動させれば、この回動レバーの一端部と上記第２アームとの間に上記ポケットの開口縁が挟み付けられてこの開口縁にクリップが連結される。即ち、上記携帯電話は上記クリップによりポケットの開口縁に連結されて不意に落下するということが防止される。
【０００７】
【発明が解決しようとする課題】
ところで、上記特許文献１では、クリップの第１アームの他端部（自由端）に上記回動レバーの一端部が枢支軸により枢支されている。このため、ポケットの開口縁にクリップを連結させようとして、その第１、第２アームの間の隙間を、これら第１、第２アームの各他端部側から上記開口縁に嵌合させようとするとき、この嵌合の当初において、上記第１アームの他端部とこれに枢支された回動レバーの一端部との間に生じる凹部と、上記ポケットの開口縁とが嵌合し合うおそれがあり、これが生じると、上記隙間をポケットの開口縁に嵌合させることが阻害され、つまり、上記開口縁へのクリップの円滑な連結操作が阻害されるおそれがある。
【０００８】
また、上記クリップでは、回動レバーを往回動させると、この回動レバーが全体的に第１アームに沿って延びるため、その後、上記回動レバーを復回動させようとして、上記回動レバーの他端部を操作しようとすると、この他端部に近接している第１アームの部分が邪魔になって、この操作がし難くなるおそれがあり、つまり、上記ポケットの開口縁からのクリップの円滑な離脱操作が阻害されるおそれがある。
【０００９】
本発明は、上記のような事情に注目してなされたもので、ポケットの開口縁など連結体にクリップを連結させるための連結操作が円滑にできるようにし、また、上記連結体からクリップを離脱させるための離脱操作が円滑にできるようにすることを課題とする。
【００１０】
【課題を解決するための手段】
上記課題を解決するための本発明のクリップは、次の如くである。なお、この項において各用語に付記した符号は、本発明の技術的範囲を後述の「発明の実施の形態」の項の内容に限定解釈するものではない。
【００１１】
請求項１の発明は、被連結体２を連結体５に連結可能とさせるクリップ１であって、互いにほぼ平行に延びる第１、第２アーム７，８と、これら両アーム７，８の各一端部９，９を互いに一体的に結合させる結合体１０と、一端部１１が上記第１アーム７に枢支軸１２により枢支されて他端部１３側が上記第１アーム７の外方域で往、復回動Ａ，Ｂ可能とされる回動レバー１５とを備え、この回動レバー１５を往回動Ａさせたとき、この回動レバー１５の一端部１１と上記第２アーム８とにより上記第１、第２アーム７，８間の隙間１９に嵌入された上記連結体５が挟み付け可能にされると共に、上記回動レバー１５が上記結合体１０側に向かい回動して上記回動レバー１５が上記第１アーム７に沿って延びるようにし、一方、上記回動レバー１５を復回動Ｂさせたとき、上記挟み付けが解除されるようにしたクリップにおいて、
【００１２】
上記第１アーム７の長手方向の中途部に上記回動レバー１５の一端部１１を枢支させたものである。
【００１３】
請求項２の発明は、請求項１の発明に加えて、上記第１、第２アーム７，８の長手方向に沿った視線で見て（図２）、上記第１アーム７の他端部１７が上記枢支軸１２のほぼ全体と重なるようにしたものである。
【００１４】
請求項３の発明は、請求項１の発明に加えて、上記回動レバー１５を往回動Ａさせたとき、上記第１、第２アーム７，８の長手方向に沿った視線で見て（図２）、クリップ１の外縁がほぼ円形となるようにしたものである。
【００１５】
請求項４の発明は、請求項１から３のうちいずれか１つの発明に加えて、上記回動レバー１５を往回動Ａさせたとき、上記第１、第２アーム７，８の長手方向で、上記回動レバー１５の一端部１１が上記結合体１０よりも外方に突出するようにしたものである。
【００１６】
【発明の実施の形態】
以下、本発明の実施の形態を図面により説明する。
【００１７】
図１―３において、符号１は樹脂製のクリップであり、このクリップ１には携帯電話から延びたストラップなどの被連結体２が連結可能とされている。また、上記クリップ１は、オペレータのポケット３の開口縁４など連結体５に対し離脱可能に連結可能とされている。
【００１８】
上記クリップ１は、互いにほぼ平行に延びる第１、第２アーム７，８と、これら両アーム７，８の各一端部９，９を互いに一体的に結合させる結合体１０と、一端部１１が上記第１アーム７の長手方向の中途部に枢支軸１２により枢支されて他端部１３側が上記第１アーム７の外方域で上記枢支軸１２の軸心１４回りに往、復回動Ａ，Ｂ可能とされる回動レバー１５と、この回動レバー１５の一端部１１に成形される突起１６とを備えている。上記第１、第２アーム７，８と結合体１０との組み合せ体７，８，１０は全体としてＵ字形状をなし、上記第１、第２アーム７，８の各他端部１７，１７はそれぞれ自由端とされている。また、上記組み合せ体７，８，１０は全体として多少の弾性を有している。
【００１９】
図１―４で示すように、上記回動レバー１５を往回動Ａさせたとき、この回動レバー１５の一端部１１の突起１６と、上記第２アーム８の長手方向の中途部とにより、上記第１、第２アーム７，８間の隙間１９に嵌入された上記連結体５が挟み付け可能とされている。また、上記回動レバー１５を往回動Ａさせたとき、上記回動レバー１５は上記結合体１０側に向かい回動して、上記回動レバー１５が上記第１アーム７に隣接するようこの第１アーム７に沿って延びることとされている。
【００２０】
図５―８で示すように、上記回動レバー１５を復回動Ｂさせたとき、上記回動レバー１５の一端部１１の突起１６と上記第２アーム８の中途部とによる上記連結体５の挟み付けが解除可能とされている。
【００２１】
全図において、上記第１アーム７の長手方向中途部の左右各側部にはそれぞれ切り欠き２１が成形されている。一方、上記回動レバー１５の一端部１１は二又形状とされて左右一対の側部アーム２２，２２を有している。これら両側部アーム２２，２２は上記各切り欠き２１に嵌入させられて上記第１アーム７の長手方向の中途部を挟んでいる。そして、この第１アーム７の中途部に対し上記回動レバー１５の一端部１１の各側部アーム２２，２２が枢支軸１２によりそれぞれ枢支されている。
【００２２】
上記第１、第２アーム７，８の長手方向に沿った視線で見て（図２）、上記第１アーム７の他端部１７は、上記枢支軸１２のほぼ全体と重なり合っている。また、上記回動レバー１５を往回動Ａさせたとき、上記視線で見て（図２）、クリップ１の外縁がほぼ円形（楕円形を含む）とされている。
【００２３】
図１―４において、上記回動レバー１５を往回動Ａさせたとき、上記第１、第２アーム７，８の長手方向で、上記回動レバー１５の一端部１１は上記結合体１０よりも外方に向かって突出し、上記回動レバー１５の一端部１１は、この回動レバー１５を回動させる際のオペレータによる操作部２４とされている。また、上記回動レバー１５の一端部１１には、上記被連結体２を連結させる円形孔である連結部２５が成形されている。
【００２４】
そして、上記クリップ１により、例えば、携帯電話のストラップなど被連結体２をオペレータのポケット３の開口縁４など連結体５に連結させる場合には、まず、上記被連結体２を上記クリップ１の連結部２５に連結し、このクリップ１の回動レバー１５を復回動Ｂさせた状態（図５―８）で、第１、第２アーム７，８の間の隙間１９をオペレータの胸のポケット３の開口縁４に嵌合させる。次に、上記回動レバー１５を往回動Ａさせれば（図１―４）、この回動レバー１５の一端部１１と上記第２アーム８との間に上記ポケット３の開口縁４が挟み付けられてこの開口縁４にクリップ１が連結される（図１）。即ち、上記携帯電話は上記クリップ１により連結体５に連結されて不意に落下するということが防止される。
【００２５】
上記構成によれば、第１アーム７の長手方向の中途部に上記回動レバー１５の一端部１１を枢支させてある。
【００２６】
即ち、上記第１アーム７の他端部１７には従来の技術のように回動レバー１５は枢支されない。このため、上記連結体５であるポケット３の開口縁４にクリップ１を連結させようとして、その第１、第２アーム７，８の間の隙間１９を上記ポケット３の開口縁４に嵌合させるとき、この嵌合の当初において、上記第１アーム７と、この第１アーム７に枢支された回動レバー１５の一端部１１とに邪魔されることなく、上記第１、第２アーム７，８の各他端部１７，１７の間の隙間１９とポケット３の開口縁４とは円滑に嵌合させ始めることができる。
【００２７】
よって、その後における上記隙間１９とポケット３の開口縁４との嵌合も円滑にでき、つまり、上記ポケット３の開口縁４など連結体５にクリップ１を連結させるための連結操作が円滑にできることとなる。
【００２８】
また、前記したように、第１、第２アーム７，８の長手方向に沿った視線で見て（図２）、上記第１アーム７の他端部１７が上記枢支軸１２のほぼ全体と重なるようにしてある。
【００２９】
このため、上記隙間１９とポケット３の開口縁４とを嵌合させ始めるとき、上記隙間１９とポケット３の開口縁４とは、上記枢支軸１２に何ら邪魔されることなく、より円滑に嵌合させることができ、よって、ポケット３の開口縁４など連結体５への上記クリップ１の連結操作がより円滑にできる。
【００３０】
また、前記したように、回動レバー１５を往回動Ａさせたとき、上記第１、第２アーム７，８の長手方向に沿った視線で見て（図２）、クリップ１の外縁がほぼ円形となるようにしてある。
【００３１】
このため、上記回動レバー１５を往回動Ａさせてポケット３の開口縁４にクリップ１を連結させたとき、このクリップ１の外面は全体的に滑らかな円弧凸面となることから、このクリップ１が外力を受けて不意にポケット３の開口縁４から外れるということは防止される。よって、上記クリップ１によれば、ポケット３の開口縁４など連結体５からの被連結体２の不意の落下は、より確実に防止される。
【００３２】
また、前記したように、回動レバー１５を往回動Ａさせたとき、上記第１、第２アーム７，８の長手方向で、上記回動レバー１５の一端部１１が上記結合体１０よりも外方に突出するようにしてある。
【００３３】
このため、上記回動レバー１５を往回動Ａさせた状態（図１―４）でも、この回動レバー１５の一端部１１に対する操作は上記第１、第２アーム７，８の各一端部９，９や結合体１０に邪魔されずにできる。よって、上記状態からの上記回動レバー１５の復回動Ｂの操作は容易にでき、つまり、上記ポケット３の開口縁４など連結体５からクリップ１を離脱させるための離脱操作も円滑にできる。
【００３４】
また、前記したように、回動レバー１５の一端部１１に上記被連結体２を連結させる連結部２５を成形してある。
【００３５】
このため、上記回動レバー１５を往回動Ａさせてクリップ１をポケット３の開口縁４に連結させたとき（図１）、上記結合体１０よりも外方に上記連結部２５が位置することとなる。よって、上記ポケット３の開口縁４にクリップ１を連結させたまま、上記連結部２５に対し上記被連結体２を着脱することができるなど便利である。
【００３６】
また、前記したように、第１、第２アーム７，８と結合体１０とは全体的に弾性を有している。
【００３７】
このため、連結体５の厚さが大きい場合で、この連結体５を上記第１アーム７の一端部９の突起１６と第２アーム８とが挟み付けたときには、上記第１、第２アーム７，８が互いに離れるよう弾性変形して、上記連結体５を過大な外力で挟み付け、この連結体５を傷付けるということが防止される。
【００３８】
なお、以上は図示の例によるが、上記第１アーム７の長手方向の中途部で、その幅方向の中央部に貫通孔を成形し、この貫通孔に上記回動レバー１５の一端部１１を嵌入させ、この一端部１１を上記枢支軸１２により第１アーム７に枢支させてもよい。
【００３９】
【発明の効果】
本発明による効果は、次の如くである。
【００４０】
請求項１の発明は、被連結体を連結体に連結可能とさせるクリップであって、互いにほぼ平行に延びる第１、第２アームと、これら両アームの各一端部を互いに一体的に結合させる結合体と、一端部が上記第１アームに枢支軸により枢支されて他端部側が上記第１アームの外方域で往、復回動可能とされる回動レバーとを備え、この回動レバーを往回動させたとき、この回動レバーの一端部と上記第２アームとにより上記第１、第２アーム間の隙間に嵌入された上記連結体が挟み付け可能にされると共に、上記回動レバーが上記結合体側に向かい回動して上記回動レバーが上記第１アームに沿って延びるようにし、一方、上記回動レバーを復回動させたとき、上記挟み付けが解除されるようにしたクリップにおいて、
【００４１】
上記第１アームの長手方向の中途部に上記回動レバーの一端部を枢支させてある。
【００４２】
即ち、上記第１アームの他端部には従来の技術のように回動レバーは枢支されない。このため、上記連結体にクリップを連結させようとして、その第１、第２アームの間の隙間を上記連結体に嵌合させるとき、この嵌合の当初において、上記第１アームと、この第１アームに枢支された回動レバーの一端部とに邪魔されることなく、上記第１、第２アームの各他端部の間の隙間と上記連結体とは円滑に嵌合させ始めることができる。
【００４３】
よって、その後における上記隙間と連結体との嵌合も円滑にでき、つまり、連結体にクリップを連結させるための連結操作が円滑にできることとなる。
【００４４】
請求項２の発明は、上記第１、第２アームの長手方向に沿った視線で見て、上記第１アームの他端部が上記枢支軸のほぼ全体と重なるようにしてある。
【００４５】
このため、上記隙間と連結体とを嵌合させ始めるとき、上記隙間と連結体とは、上記枢支軸に何ら邪魔されることなく、より円滑に嵌合させることができ、よって、連結体への上記クリップの連結操作がより円滑にできる。
【００４６】
請求項３の発明は、上記回動レバーを往回動させたとき、上記第１、第２アームの長手方向に沿った視線で見て、クリップの外縁がほぼ円形となるようにしてある。
【００４７】
このため、上記回動レバーを往回動させて連結体にクリップを連結させたとき、このクリップの外面は全体的に滑らかな円弧凸面となることから、このクリップが外力を受けて不意に連結体から外れるということは防止される。よって、上記クリップによれば、連結体からの被連結体の不意の落下は、より確実に防止される。
【００４８】
請求項４の発明は、上記回動レバーを往回動させたとき、上記第１、第２アームの長手方向で、上記回動レバーの一端部が上記結合体よりも外方に突出するようにしてある。
【００４９】
このため、上記回動レバーを往回動させた状態でも、この回動レバーの一端部に対する操作は上記第１、第２アームの各一端部や結合体に邪魔されずにできる。よって、上記状態からの上記回動レバーの復回動の操作は容易にでき、つまり、上記連結体からクリップを離脱させるための離脱操作も円滑にできる。
【図面の簡単な説明】
【図１】回動レバーを往回動させたときのクリップの側面図である。
【図２】回動レバーを往回動させたときのクリップの正面図である。
【図３】回動レバーを往回動させたときのクリップの斜視図である。
【図４】回動レバーを往回動させたときのクリップの他の斜視図である。
【図５】回動レバーを復回動させたときのクリップの側面図である。
【図６】回動レバーを復回動させたときのクリップの正面図である。
【図７】回動レバーを復回動させたときのクリップの斜視図である。
【図８】回動レバーを復回動させたときのクリップの他の斜視図である。
【符号の説明】
１      クリップ
２      被連結体
５      連結体
７      第１アーム
８      第２アーム
９      一端部
１０    結合体
１１    一端部
１２    枢支軸
１３    他端部
１４    軸心
１５    回動レバー
１６    突起
１７    他端部
１９    隙間
２４    操作部
２５    連結部
Ａ      往回動
Ｂ      復回動
【図１】
2004313424.tif 000003
【図２】
2004313424.tif 000004
【図３】
2004313424.tif 000005
【図４】
2004313424.tif 000006
【図５】
2004313424.tif 000007
【図６】
2004313424.tif 000008
【図７】
2004313424.tif 000009
【図８】
2004313424.tif 000010